(57)【要約】【課題】  ＨＡシステムを介してシャッターカーテンを全閉および全開を含む３つ以上のシャッターの状態に動作させることができるシャッター装置を提供する。【解決手段】  本発明のシャッター装置１０は、複数の所定の状態を全閉グループおよび全閉以外グループのうちの少なくとも一方に分類し、制御部２はＨＡ制御信号を受信してシャッターカーテン１３の開閉指示を判断する受信手段２２と、シャッターカーテン１３を閉じる指示に対して全閉グループのうちの１つの状態を対応付け、シャッターカーテン１３を開く指示に対して全閉以外グループのうちの１つの状態を対応付けておく設定手段２３と、シャッターカーテン１３を閉じる指示または開く指示を受信手段２２から取得したときに設定手段２３により対応づけられた状態になるように駆動部１１を制御する駆動部制御手段２４とを有する。【選択図】図１
2015100007.tif 000002
【特許請求の範囲】
【請求項１】
開閉自在なシャッターカーテンと、
前記シャッターカーテンを駆動する駆動部と、
３つ以上の複数の所定の状態のうちの１つの状態になるように前記シャッターカーテンを動作させるように前記駆動部を制御する制御部と、
を有するシャッター装置であって、
前記複数の所定の状態は、前記複数の所定の状態のうちの１つ以上であり前記シャッターカーテンが全閉している状態に対応可能な状態である全閉グループおよび前記複数の所定の状態のうちの１つ以上であり前記全閉以外の状態に対応可能な状態である全閉以外グループのうちの少なくとも一方に分類され、
前記制御部は、
ＨＡ制御信号を受信し前記シャッターカーテンの開閉指示を判断する受信手段と、
シャッターカーテンを閉じる指示に対して前記全閉グループのうちの１つの状態を対応付け、シャッターカーテンを開く指示に対して前記全閉以外グループのうちの１つの状態を対応付けておく設定手段と、
前記シャッターカーテンを閉じる指示または前記シャッターカーテンを開く指示を前記受信手段から取得したときに前記設定手段により対応づけられた状態になるように前記シャッターカーテンを動作させるように前記駆動部を制御する駆動部制御手段と、
を有するシャッター装置。
【請求項２】
前記シャッターカーテンは複数のスラットから構成され、
前記駆動部は前記複数のスラットのうちの少なくとも一部について隣接する前記スラット間にて隙間が形成するように駆動でき、
前記複数の所定の状態には、前記シャッターの下端に位置する座板が着地しており、前記隙間が形成できる前記スラットのうちの少なくとも一部において隙間が形成される防犯通風状態が含まれ、
前記防犯通風状態は前記全閉グループ及び前記全閉以外の双方に対応付けられる請求項１に記載のシャッター装置。
【発明の詳細な説明】
【技術分野】
【０００１】
本発明は、シャッター装置に関し、特にＨＡシステムを介した遠隔操作によって駆動することができるシャッター装置に関する。
【背景技術】
【０００２】
近年、家庭内を総合的に管理するホームオートメーション（ＨＡ）システムが導入されている。ＨＡシステムで管理する装置としては、例えばホームセキュリティー、テレモニタ、エネルギーコントロール、電動シャッターなどがある。ＨＡシステムは、外出先からこれらの装置のオン・オフ制御（施錠・解錠）や運転状態を監視することができる。
【０００３】
ところで、ＨＡシステムを介して電動シャッターを制御する場合には、全閉と全開（全閉以外）というように二つの状態の動作が規定されている（ＪＥＭ１４２７）。そのため、電動シャッターが全閉、全開およびそれ以外の状態の３つ以上の状態を有する場合は標準的なＨＡシステムを介しては制御させることができない。
【０００４】
特許文献１には２値の信号線（ＨＡシステムに相当）を用い多値的な動作状態を制御する方法が開示されている。特許文献２には２値の信号線を時分割多重化して多機能化を行い、ＨＡシステムにも対応した装置が開示されている。特許文献１にはＨＡシステムとは記載されていないが、特許文献２と同じように２値の信号線において負荷（電動シャッター）のオン・オフ（開閉）を行う信号に加えてその他の制御を行う信号も重畳させる遠隔操作装置の構築が開示されている。
【０００５】
特許文献１および特許文献２では２値の信号線で多値的な動作を制御するために、時分割多重化を用いて電動シャッターのような制御対象とＨＡシステムとの間の通信を行う。時分割多重通信を行う場合、通信プロトコルを規定するなど制御が複雑になる。ＨＡシステムの規格を用いた場合、拡張した制御内容やそれに対応した制御部が必要になる。そのため、多値的な動作を制御することができるように拡張されたＨＡシステムは拡張された制御内容を利用できる制御部がないＨＡシステムとの間で通信できないことになり、拡張した機能をも併せたすべての機能を利用しようとすると独自の制御装置を用意する必要がある。
【先行技術文献】
【特許文献】
【０００６】
【特許文献１】特開平７−３８９６８号公報
【特許文献２】特開平６−３０３６６９号公報
【発明の概要】
【発明が解決しようとする課題】
【０００７】
本発明は、上記状況に鑑みてなされたもので、ＨＡシステムに対して改造や拡張をせずに、ＨＡシステムを介して３つ以上の状態をもつシャッターカーテンの動作をさせることができるシャッター装置を提供することを解決すべき課題とする。
【課題を解決するための手段】
【０００８】
（１）上記課題を解決するためのシャッター装置の発明の構成上の特徴は、開閉自在なシャッターカーテンと、
前記シャッターカーテンを駆動する駆動部と、
３つ以上の複数の所定の状態のうちの１つの状態になるように前記シャッターカーテンを動作させるように前記駆動部を制御する制御部と、
を有するシャッター装置であって、
前記複数の所定の状態は、前記複数の所定の状態のうちの１つ以上であり前記シャッターカーテンが全閉している状態に対応可能な状態である全閉グループおよび前記複数の所定の状態のうちの１つ以上であり前記全閉以外の状態に対応可能な状態である全閉以外グループのうちの少なくとも一方に分類され、
前記制御部は、
ＨＡ制御信号を受信し前記シャッターカーテンの開閉指示を判断する受信手段と、
シャッターカーテンを閉じる指示に対して前記全閉グループのうちの１つの状態を対応付け、シャッターカーテンを開く指示に対して前記全閉以外グループのうちの１つの状態を対応付けておく設定手段と、
前記シャッターカーテンを閉じる指示または前記シャッターカーテンを開く指示を前記受信手段から取得したときに前記設定手段により対応づけられた状態になるように前記シャッターカーテンを動作させるように前記駆動部を制御する駆動部制御手段と、
を有することである。
【０００９】
つまり、シャッターカーテンがとりうる３つ以上の状態を全閉状態に対応可能なグループ（全閉グループ）と全閉以外の状態に対応可能なグループ（全閉以外グループ）とに分類しておき、ＨＡシステムが、全閉にするか全閉以外の状態にするかの制御を行う際にどのような動作を行うかを使用者が予め対応づけておくことで３つ以上の状態をもつことができるシャッターカーテンを２つの状態の間でしか制御できないＨＡシステムにて使用者が望むように制御することが可能になる。
【００１０】
そのため使用者はＨＡシステムを用いて行う全閉と全閉以外とで行うそれぞれの制御に対して予め望む動作を割り当てておくことで複数のシャッターカーテンの状態から望みの動作を行わせることができる。
【００１１】
ここで、全閉している状態（全閉グループ）に対応可能な状態とはシャッターが全閉している状態と同等の性能をもつものである。全閉している状態と同等であるかどうかは防犯性、通風性、遮音性、遮光性などの諸性能から必要な性能を発揮できるかどうかを考慮して決定する。従って、ＨＡシステムによりシャッターカーテンを全閉にしようと制御したときにシャッターカーテンの状態がその状態になったとしてもＨＡシステムの規定に矛盾せず、尚かつ、大きな問題が生じない状態である。
【００１２】
反対に全閉以外グループに対応可能な状態はシャッターが全閉している状態以外と同等の性能をもつものである。全閉している状態以外と同等であるかどうかは防犯性、通風性、遮音性、遮光性などの諸性能から必要な性能を発揮できるかどうかを考慮して決定する。ここで全閉している状態以外と同等であるか否かについての判断基準は、前述の全閉グループにおいて全閉している状態と同等であるかどうかの判断基準と同じ判断基準でも異なる判断基準でもいずれを選択しても良い。異なる判断基準を採用する例としては、全閉グループに属するかどうかは防犯性の有無により判断し、全閉以外グループに属するかどうかの判断は通風性の有無により判断するといったものである。
【００１３】
上述のような異なる性能に基づきグループを決定する場合には同一の動作状態が両方のグループに属することになっても良い。例えば、下記の（２）で示される防犯通風状態は防犯性の有無では全閉グループに属すものとされ、通風性の有無では全閉以外グループに属するものとされ、双方のグループに属するものと扱われうる。
【００１４】
上述した事項に加え、更に、全閉グループと全閉以外グループとのどちらに対応づけるかを決めるのは前述したシャッターカーテンが発揮する諸性能に基づき行うが、基準となる諸性能としては使用環境の変動にあわせて変更することも出来る。
【００１５】
例えば外部から風や雨が入ってきても大きな問題にならないような場所に設置しているシャッター装置（風や雨の侵入により許容可能な程度にしか影響を受けないような場所であったり、シャッターカーテンの内側に設置された別の窓や扉により風雨が遮断できたりする場合）においては、防犯性を基準に全閉状態と同等であるかそうで無いかを判断することが考えられる。反対に風雨の侵入が問題になりうる場所に設置しているシャッター装置においては、通風性を基準に全閉状態と同等であるかそうで無いかを判断することが考えられる。
【００１６】
このようにシャッター装置の設置場所や設置環境、更には使用者の意図によりシャッターカーテンの状態をどのグループに属させるか判断する判断基準が決定できる。しかしながら、そのような判断基準は環境の変化により変更することも考えられる。例えば通常の状態においては風雨の影響が問題にならない場合であっても、シャッター装置の設置場所の天候により全閉している状態と同等であるか否かの判断基準が変わる場合も考えられる。例えば台風などが接近している場合には風雨の影響を考慮して通風性がない方が望ましい場合が考えられる。また、外の気温が非常に暑いか又は非常に寒いような場合に外気の導入が望ましく無い場合も考えられる。このような場合にはそれまで防犯性のみを考慮して全閉グループと全閉以外グループとに分類していたのを通風性をも考慮して分類を行うことも可能である。天候などは外部の情報源（インターネットサーバ、ラジオなどの通信装置）から取得することが可能である。その他の諸性能（遮光性、遮音性など）についてもシャッターカーテン内外の環境の変化により考慮したり考慮しなかったりすることができる。
【００１７】
このように双方のグループのうちのいずれに属するかについての判断基準が変わる場合にそれぞれのグループに属するシャッターカーテンの状態が変化する場合がある。その時に変化によりそのグループに属さなくなった状態を何れかのグループに対応づけていた場合には代替する状態（同じグループに属する他の状態から選択する。）に置き換えるようにする。
【００１８】
ここで、ＨＡ制御信号とは日本電気工業規格のＪＥＭ１４２７に準拠し、ＨＡ端子を有するＨＡシステムが送信する信号のことである。
【００１９】
上記（１）の発明は以下に示す（２）の構成を任意に加えて採用できる。
【００２０】
（２）前記シャッターカーテンは複数のスラットから構成され、
前記駆動部は前記複数のスラットのうちの少なくとも一部について隣接する前記スラット間にて隙間が形成するように駆動でき、
前記複数の所定の状態には、前記シャッターの下端に位置する座板が着地しており、前記隙間が形成できる前記スラットのうちの少なくとも一部において隙間が形成される防犯通風状態が含まれ、
前記防犯通風状態は前記全閉グループ及び前記全閉以外の双方に対応付けられる。
【発明の効果】
【００２１】
制御部は、シャッターカーテンを閉じる指示に対して全閉グループのうちの１つの状態を対応付け、シャッターカーテンを開く指示に対して全閉以外グループのうちの１つの状態を対応付けておく設定手段を有する。更に、制御部はシャッターカーテンを閉じる指示または前記シャッターカーテンを開く指示を取得したときに設定手段により対応づけられた状態になるようにシャッターカーテンを動作させるように駆動部を制御する駆動部制御手段とを有する。そのため、ＨＡシステムを介してシャッターカーテンの状態を変更する場合、シャッターカーテンを全閉または全開する以外の状態にすることができる。ＨＡシステムは改造も拡張もされないため、特別なＨＡシステムを構築したり、プログラムしたりする必要がないので実装コストが抑えられる。また、その他のＨＡシステム機器との接続が可能であり、拡張性がある。
【図面の簡単な説明】
【００２２】
【図１】実施形態のシャッター装置の構成を示す概略図である。
【図２】実施形態のシャッター装置のシャッターカーテンが全閉状態の斜視図である。
【図３】実施形態のシャッター装置のシャッターカーテンがブラインド状態の斜視図である。
【図４】実施形態のシャッター装置の状態を全閉グループと全閉以外グループに分類した説明図である。
【図５】実施形態のシャッター装置でＨＡモニタ信号の全閉以外に対応させる設定をするための制御部の操作手順を示す流れ図である。
【図６】実施形態のシャッター装置でＨＡモニタ信号の全閉に対応させる設定をするための制御部の操作手順を示す流れ図である。
【図７】実施形態のシャッター装置でＨＡモニタ信号に対応させる設定をする際の表示部の具体例を示す説明図である。
【発明を実施するための形態】
【００２３】
（実施形態）
本発明の代表的な実施形態を図１〜図７を参照して説明する。本実施形態に係るシャッター装置１０は、例えば図１に示すように、建築物の開口部（窓など）９３に取り付けられる。
【００２４】
シャッター装置１０は、モータ（駆動部）１１と、モータ１１によって回転駆動する巻き取り軸１２と、縦方向に延びる平行に並走された２本のガイドレール部１５と、ガイドレール部１５に沿って昇降され昇降に伴い開閉されるシャッターカーテン１３と、モータ１１および巻き取り軸１２を格納する格納ボックス１６と、制御部２とを備える。制御部２は、例えば開口部９３に近い室内の壁に取り付けられている。そして、シャッターカーテン１３は、下端に位置する座板１７と、座板１７より上側の部分を構成する多数のスラット１８とによって構成されている。スラット１８は横長に延設されており、上下方向に複数個、並設・連結されている。シャッター装置１０は、スラット１８が巻き取り軸１２に巻き取られたり巻き戻されたりするシャッター使用形態と、各スラット１８がそれぞれ回動してシャッターカーテン１３をブラインドとして使用するブラインド使用形態とに使い分けることができる。
【００２５】
シャッターカーテン１３をシャッターとして使用する場合、モータ１１は、シャッターカーテン１３を巻き取り軸１２に巻き取る巻き取り方向（矢印Ｙ１方向：上昇）と、巻き取り軸１２に巻き取られているシャッターカーテン１３を巻き戻す巻き戻し方向（矢印Ｙ２方向：下降）と、に回転可能とされている。シャッターカーテン１３はモータ１１の一方向の回転により上昇し、モータ１１の他方向の回転により下降する。スラット１８が全て巻き取られて窓９３が外部に直接露出する状態がシャッターカーテン１３の全開状態、スラット１８が全て巻き下ろされて窓９３が外部から隠れている状態（この時、座板１７は着地している。）はシャッターカーテン１３の全閉状態（図２参照）である。
【００２６】
そして、シャッターカーテン１３をブラインドとして使用する場合、各スラット１８はモータ１１（別の駆動装置でも良い。）の駆動によって、上下方向で隙間のないシャッターカーテン１３の全閉状態（図２参照）から、各スラット１８間に隙間のあるブラインド状態（図３参照）に回動することができる。全閉状態のスラット１８はほぼ鉛直方向に平行であり、ほぼ水平方向まで開回動できる。回動は、所定角度毎に回動し、角度を調整することができる。なお、所定角度としては５度、１０度、１５度、２０度など、適宜、選択・設定できる。また、本実施形態のシャッター装置１０は、座板１７が着地しており、上側の数枚（例えば３枚）のスラット１８だけが回動し、上側のスラット１８間に隙間のある防犯通風状態とすることができる。
【００２７】
シャッターカーテン１３を巻き取ったり、巻き戻したり、またスラット１８をブラインドとして使用したりするには、制御部２の各操作用ボタン３２〜３８によって行うことができる。制御部２には、シャッターカーテン１３の状態を変更するためのボタン３２〜３８以外に、各種の設定をするためのボタン４１〜４４や表示部３１が配置されている。シャッター使用形態におけるシャッターカーテン１３の開閉は、あけるボタン３２、とまるボタン３３、しめるボタン３４によって行える。あけるボタン３２およびしめるボタン３４は、押すとあける動作またはしまる動作を続けるため、全開または全閉しない場合にはとまるボタン３３によって開閉動作を止める。また、ブラインド使用形態におけるスラット１８の回動は、ひらくボタン３５、とじるボタン３６によって行える。ひらくボタン３５は所定角度ずつスラット１８が回動するので、所望の角度になるまでひらくボタン３５を押す。スラット１８が最大角度まで回動した場合は、所定角度ずつとじる方向にスラット１８が回動する。１度の操作でスラット１８をとじる場合にはとじるボタン３６を押す。その他に、シャッターカーテン１３の状態を変更するボタンに、防犯通風モードボタン３７とおまかせＥＣＯボタン３８とがある。防犯通風モードボタン３７を押した場合は、上述した防犯通風状態になる。おまかせＥＣＯボタン３８を押した場合は、おまかせＥＣＯ状態となる。おまかせＥＣＯ状態とは、設置場所（建築物の緯度・経度や開口部９３の東西南北方向）、季節、時間などに合わせてシャッターカーテン１３が自動で開閉したり、スラット１８が自動で回動したりする。おまかせＥＣＯ状態にすることで、例えば、室外の明るさに合わせて全閉状態からブラインド状態にすることで照明を消灯したり、直射日光を遮断しつつ通風可能な状態にすることでエアコンの冷房の使用時間が削減できたり、日差しを室内に入れることで暖房機器の使用時間が削減できたりする。
【００２８】
各種の設定をするボタン４１〜４４は、例えば、シャッターカーテン１３を予約した時間に自動で全開、全閉、ブラインド状態などに設定することができる。設定ボタン４１は、設定を開始したり、決定したりする。完了ボタン４２は、設定を完了したり、設定をキャンセルしたりする。＋（プラス）ボタン４３や−（マイナス）ボタン４４は、設定の際の選択できる項目を移動したり、設定値（表示される数字）を変更したりする。表示部３１には、設定されている内容が表示されたり、設定の際の内容が表示されたりする。
【００２９】
シャッター装置１０は、ＨＡ（ホームオートメーション）システム７を介して、ＨＥＭＳ（ホームエネルギーマネージメントシステム）コントローラ８１に接続している。ＨＡシステム７はＨＥＭＳコントローラ８１内にあり、シャッター装置１０は制御部２がＩＦＵ（インターフェースユニット）８２を経由してＨＡシステム７と通信することができる。ＨＡシステム、ＩＦＵおよび制御部２は、日本電気工業規格のＪＥＭ１４２７に準拠している。なお、ＨＡシステム７はシャッター装置１０以外に、エアコン８３やその他の家電機器と通信可能に接続されている。
【００３０】
シャッター装置１０の制御部２は、上述したボタン３２〜３８、４１〜４４や表示部３１の他に内部に、状態送信手段２１、受信手段２２を有する。状態送信手段２１は、ＨＡシステム７にシャッター装置１０の状態として“全閉”または“全閉以外”のＨＡモニタ信号を送信する。受信手段２２は、ＨＡシステム７からのＨＡ制御信号を受信し、シャッターカーテン１３の開閉指示を判断する。ＨＡシステムはＩＦＵを介して制御部２からシャッター装置１０の状態として“全閉”状態か“全閉以外”状態かのＨＡモニタ信号を受信する。また、ＨＡシステムはＩＦＵを介して制御部２にシャッター装置１０の状態を反転するＨＡ制御信号を送信する。ＨＡ制御信号は、トリガ信号（パルス信号）であり、ＨＡ制御信号を受け取った受信手段２２は、シャッターカーテン１３の状態が“全閉”であれば“全閉以外”、“全閉以外”であれば“全閉”に反転させる判断をする。
【００３１】
そして、シャッター装置１０の制御部２は、更に設定手段２３と駆動部制御手段２４とを有する。設定手段２３は、シャッターカーテン１３を全閉する指示に対して全閉グループのうちの１つの状態を対応付け、シャッターカーテン１３を全閉以外にする指示に対して全閉以外グループのうちの１つの状態を対応付ける。全閉グループには、図４に示すように、全閉状態と防犯通風状態とが分類される。全閉以外グループには、全開状態、ブラインド状態、防犯通風状態、おまかせＥＣＯ状態が分類される。防犯通風状態は双方のグループに分類されている。また、全閉以外グループには、シャッターカーテン１３が途中まで巻き取られている状態や、その状態でブラインド状態とするなどの特定の状態を含ませることもできる。特定の状態は、設定手段２３による設定の前に、予め登録されているのが望ましい。また、ブラインド状態のスラット１８の角度はデフォルト（最大角度：スラット１８が略水平）以外の角度にしたい場合は設定手段２３とは違う設定手段によって登録することができる。駆動部制御手段２４は、“全閉”に相当する指示または“全閉以外”に相当する指示を受信手段２２から取得したときに設定手段２３により対応づけられた状態になるようにシャッターカーテン１３を動作させるようにモータ１１を制御する。
【００３２】
上述した状態送信手段２１は、シャッターカーテン１３の状態が全閉グループの状態の場合に、ＨＡシステムに“全閉”に相当するＨＡモニタ信号を送信し、シャッターカーテン１３の状態が全閉以外グループの状態の場合に、ＨＡシステムに“全閉以外”に相当するＨＡモニタ信号を送信する。シャッターカーテン１３が防犯通風状態の場合、デフォルトでは“全閉”のＨＡモニタ信号を送信するが、設定手段２３によって防犯通風状態が“全閉以外”に設定されていれば“全閉以外”のＨＡモニタ信号を送信する。
【００３３】
次に、ＨＡモニタ信号の“全閉”および“全閉以外”を設定手段２３によって設定する一例を示す。設定には、制御部２のボタン４１〜４４を使用する。設定の流れを図５および図６の流れ図で示すとともに、表示部３１の表示例が図７に図示されている。まず、“全閉以外”を設定する場合、設定ボタン４１を押し（ステップＳ１１）、表示部３１が通常の表示（Ｄ１０）から設定用の表示になったことを確認する（Ｄ１１）。表示部３１には、例えば「設定メニュー」と表示される。次に、＋ボタン４３、−ボタン４４を押して、「通信」を選択する（設定ボタン４１を押す：ステップＳ１２）。「通信」を選択すると表示部３１に「通信設定」、「あける設定」、「しめる設定」が表示される（Ｄ１２）。「あける設定」を選択し（ステップＳ１３）、表示部３１には「通信あける設定」、「シャッターあける（全開状態）」、「ブラインドひらく（ブラインド状態）」、「防犯通風モード（防犯通風状態）」、「おまかせＥＣＯ（おまかせＥＣＯ状態）」が表示される（Ｄ１３）。「シャッターあける」、「ブラインドひらく」、「防犯通風モード」、「おまかせＥＣＯ」のうちのどれかを選択し（ステップＳ１４）、完了ボタン４２を押す（ステップＳ１４）。
【００３４】
“全閉”を設定する場合、設定ボタン４１を押し（ステップＳ２１）、表示部３１の表示（Ｄ１１）から「通信」を選択し（ステップＳ２２）、表示部３１の表示（Ｄ１２）の「しめる設定」を選択する（ステップＳ２３）。表示部３１には「通信しめる設定」、「シャッターしまる（全閉状態）」、「防犯通風モード（防犯通風状態）」が表示されている（Ｄ１４）。「しめる設定」を選択した際、「あける設定」で「防犯通風モード」が選択されている場合（ステップＳ２４）は、表示部３１には「通信しめる設定」、「シャッターしまる」と表示されている（Ｄ１５）。「あける設定」で「防犯通風モード」を選択していない場合には、「シャッターしまる」と「防犯通風モード」のどちらかを選択でき（ステップＳ２５）、「あける設定」で「防犯通風モード」が選択されている場合には「シャッターしまる」しか選択できない（ステップＳ２６）。なお、ＨＡモニタ信号の“全閉”および“全閉以外”に対応させるデフォルトの設定は、“全閉”にシャッターカーテン１３が全閉状態となる「シャッターしまる」、“全閉以外”にシャッターカーテン１３が全開状態となる「シャッターあける」が設定されている。
【００３５】
ＨＡシステム７を介してシャッター装置１０を操作する際、デフォルトの全閉状態および全開状態以外に操作したい場合は、制御部２を操作し、設定手段２３によって“全閉”と“全閉以外”を予め設定しておく。そして、制御部２から離れた場所にいて、直接、制御部２のボタンを操作せずにシャッター装置１０の状態を変更する場合に、携帯電話やスマートフォンなどのＨＡシステム７に接続（通信）できる端末機から“全閉”または“全閉以外”を選択する。例えば、“全閉”が防犯通風状態、“全閉以外”がブラインド状態として設定されているとする。まず、ＨＡシステム７では、シャッター装置１０の開閉の指示を受け取ると、シャッター装置１０の制御部２の状態送信手段２１からシャッターカーテン１３の状態が“全閉”か“全閉以外”か、ＨＡモニタ信号を受け取る。状態送信手段２１は、シャッターカーテン１３が全閉グループの状態であれば“全閉”、全閉以外グループの状態であれば“全閉以外”のＨＡモニタ信号をＨＡシステム７に送信する。ＨＡシステム７を介した指示が“全閉以外”で、シャッターカーテン１３が全閉状態の場合、ＨＡシステム７は状態送信手段２１から“全閉”のＨＡモニタ信号を受け取り、シャッター装置１０の制御部２の受信手段２２にＨＡ制御信号を送信する。ＨＡシステム７を介した指示が“全閉以外”で、シャッターカーテン１３が全閉以外状態の場合、ＨＡシステム７はシャッター装置１０の受信手段２２にＨＡ制御信号を送信しない。受信手段２２は、ＨＡ制御信号を受信した場合に、シャッターカーテン１３がＨＡモニタ信号の“全閉”の状態なので、シャッターカーテン１３をＨＡモニタ信号の“全閉以外”の状態にすると判断する。そして、駆動制御手段２４がＨＡモニタ信号の“全閉以外”に設定されたブラインド状態にシャッターカーテン１３がなるように、モータ１１を制御する。
【００３６】
状態送信手段２１は、ＨＡシステム７に対して常に状態を送信している。そのため、ＨＡシステム７を介してシャッター装置１０を操作し、最終的にシャッターカーテン１３が目的の状態にならなかった場合（例えば動作が完了して然るべき一定時間経過後に判断する）、状態送信手段２１の送信する信号は、ＨＡシステム７の想定している信号と異なる。ＨＡシステム７は、シャッター装置１０が指示した状態と異なっているＨＡモニタ信号を受信すると、接続（通信）してきた端末機に異常が発生したことを送信する。
【００３７】
本実施形態のシャッター装置１０は、全閉状態、全開状態以外にブラインド状態や防犯通風状態を有しているが、それら３つ以上の状態を全閉グループと全閉以外グループの２つに分類し、ＨＡモニタ信号の“全閉”状態と“全閉以外”状態とに対応させる。そして、２つのグループからそれぞれ１つの状態を予めＨＡモニタ信号の“全閉”、“全閉以外”に設定しておくことで、ＨＡシステム７を介したシャッター装置１０への指示により、開閉以外の状態にシャッター装置１０を動作させることができる。シャッター装置１０（制御部２）およびＨＡシステム７間の信号は、ＪＥＭ１４２７に準拠したＨＡ制御信号およびＨＡモニタ信号であるため、ＪＥＭ１４２７の規格を理解できればよい。つまり、特別な制御コマンドを実行できるように、ＨＡシステム７あるいはＩＦＵ８２を改造や拡張する必要がなく、特別な制御コマンドを実装する場合に比べてコストが抑えられる。また、ＪＥＭ１４２７に準拠したＨＡシステムとの接続もでき、拡張性がある。
【符号の説明】
【００３８】
１０・・・シャッター装置、
１１・・・モータ（駆動部）  １２・・・巻き取り軸  １３・・・シャッター
１４・・・スラット開度変更操作部  １５・・・ガイドレール部
１６・・・格納ボックス  １７・・・座板  １８・・・スラット
２・・・制御部  ２１・・・状態送信手段  ２２・・・受信手段  ２３・・・設定手段
２４・・・駆動制御手段
７・・・ＨＡシステム
８１・・・ＨＥＭＳコントローラ  ８２・・・ＩＦＵ  ８３・・・エアコン
９３・・・開口部
【図１】
2015100007.tif 000003
【図２】
2015100007.tif 000004
【図３】
2015100007.tif 000005
【図４】
2015100007.tif 000006
【図５】
2015100007.tif 000007
【図６】
2015100007.tif 000008
【図７】
2015100007.tif 000009